(57)【要約】【課題】サッシの枠等に取り付けて用い、サッシの開閉状態と、クレセント錠の施錠・解錠状態を検出し、あわせてクレセント錠のロックをも同時におこなうクレセントセンサーユニットを実現する。【解決手段】ベース部と、ベース部に支えられながら移動する本体とでクレセントセンサーユニットを構成し、本体は、ベース部から移動する前には、クレセント錠のレバーの操作に支障のない範囲にて保持されるようにし、移動した後には、施錠完了位置で停止したクレセント錠のレバーの移動を、物理的に阻止する位置で保持されるようにした。本体には、サッシの閉状態にて接近するサッシ開閉検知用マグネットを検出するリードスイッチと、施錠完了位置にて停止したクレセント錠のレバーを検出するレバー検出部とを備えた。【選択図】図２
2008255650.tif 000002
【特許請求の範囲】
【請求項１】
サッシのクレセント錠の近傍に設置され、サッシの開閉状態及びこのクレセント錠の施錠・解錠状態を検出し、これらの信号を出力するクレセントセンサーユニットであって、前記クレセントセンサーユニットは、ベース部と、ベース部に支えられながら移動する本体とで構成され、前記本体は、移動前には、クレセント錠のレバーの操作に支障のない範囲にて保持され、移動後には、施錠完了位置にて停止したクレセント錠のレバーの移動を、物理的に阻止する位置で保持され、前記本体には、サッシの閉状態にて接近するサッシ開閉検知用マグネットを検出するリードスイッチと、施錠完了位置にて停止したクレセント錠のレバーを検出するレバー検出部とを備えていることを特徴とするクレセントセンサーユニット。
【発明の詳細な説明】
【技術分野】
【０００１】
本発明は、サッシの枠等に取り付けて用い、サッシの開閉状態と、クレセント錠の施錠・解錠状態を検出し、あわせてクレセント錠のロックをも同時におこなうクレセントセンサーユニットに関するものである。
【背景技術】
【０００２】
従来は、引き違いに走行する一対の引戸に設けられたクレセント錠の近くに、検知ユニットを取り付け、この検知ユニットと、そこから信号が入力される集中管理ユニットとで引戸用監視システムを形成し、検知ユニットには、制御部と、引戸が閉じられた状態と、引戸が開けられた状態とで、オン、オフが切り替わるリードスイッチと、クレセント錠が施錠された状態と、解錠された状態とで、オン、オフが切り替わるリードスイッチとを備え、いずれかのリードスイッチが切り替わると、制御部が、どのリードスイッチが切り替わったかを集中管理ユニットに伝えるようにしたものが用いられていた（例えば、特許文献１参照。）。
【特許文献１】特開平１０−６１２７３号公報
【発明の開示】
【発明が解決しようとする課題】
【０００３】
しかし、上記従来例では、クレセント錠のレバーに取り付けられたマグネットを、リードスイッチが検出しているだけであり、クレセント錠のレバー自体はむき出しの状態である。通常、クレセント錠のレバーのロックは、レバーの回転軸の近傍に設けられたスライド式の操作部によりおこなわれており、その操作部が、レバーロック状態となっているのか、レバーロック解除状態になっているのかを検出するためには、専用の検出部の追加が必要であった。
【０００４】
このため、従来のものでは、引戸が閉じられた状態か、開けられた状態か、クレセント錠が施錠された状態か、解錠された状態かの判別はできたが、クレセント錠のレバーのロックが確実になされているかどうかの判別はできなかった。また、クレセント錠の施錠操作と、クレセント錠のレバーのロック操作が別となっており、操作が煩雑であるということから、レバーのロック操作が忘れられることが多く、せっかく装備されているクレセント錠のレバーのロック機構が、有効に活用されていないという問題が残っていた。
【課題を解決するための手段】
【０００５】
本発明は、ベース部と、ベース部に支えられながら移動する本体とでクレセントセンサーユニットを構成し、本体は、ベース部から移動する前には、クレセント錠のレバーの操作に支障のない範囲にて保持されるようにし、移動した後には、施錠完了位置で停止したクレセント錠のレバーの移動を、物理的に阻止する位置で保持されるようにした。本体には、サッシの閉状態にて接近するサッシ開閉検知用マグネットを検出するリードスイッチと、施錠完了位置にて停止したクレセント錠のレバーを検出するレバー検出部とを備えた。
【発明の効果】
【０００６】
本発明の構成によると、クレセント錠のレバーの動きを、クレセントセンサーユニットの本体が物理的に阻止するので、クレセント錠のレバーのロック機能が発揮される。クレセントセンサーユニットの本体が接触することになるので、施錠完了位置で停止したクレセント錠のレバーの位置検出手段として、種々のものが採用可能となる。クレセント錠のレバーに取り付けられたマグネットを、リードスイッチが検出するという従来例にとらわれることがなくなり、設計上の自由度が増す。
【０００７】
さらに、クレセント錠のレバーに取り付けられたマグネットを、リードスイッチが検出するという従来例では、クレセント錠のレバーの長さや形が限定されてしまい、短いレバーを備えたクレセント錠には対応不可能であったが、本発明のものでは、クレセントセンサーユニットの本体側が移動するので、レバーの長短を含め、各種形状のクレセント錠に適用可能なものが実現される。
【発明を実施するための最良の形態】
【０００８】
図１は、クレセント錠付きのサッシに、本発明のクレセントセンサーユニットを取り付けた状態を示す斜視図であり、図２は、図１の要部拡大図である。図２（ａ）は、クレセント錠が解錠状態となり、クレセントセンサーユニットの本体が、ベース部に固定された状態を示しており、図２（ｂ）は、クレセント錠が施錠状態となり、クレセントセンサーユニットの本体が、施錠完了位置にて停止したクレセント錠のレバーの移動を、物理的に阻止している状態を示している。図１、図２ともサッシが閉じられている状態を示している。図２を用いてさらに詳しく説明する。
【０００９】
クレセントセンサーユニットは、本体１とベース部２とで構成されており、サッシの枠にネジ止めされたベース部２に、本体１が支えられている。（ａ）の状態では、クレセント錠のレバー４は、自由に回転でき、このレバーが回転して完全に上側に向き、施錠状態となっても、クレセントセンサーユニットの本体１とは接触しない。（ｂ）の状態は、クレセント錠が施錠され、本体１がベース部に支えられながら移動し、施錠完了位置にて停止したクレセント錠のレバー４の大部分を取り囲む位置で保持されたところを示している。
【００１０】
本体１の内部を、図３に示す。サッシの閉状態にて接近するサッシ開閉検知用マグネット３を検出するリードスイッチ５と、施錠完了位置にて停止したクレセント錠のレバー４を検出するレバー検出部６とが内蔵されている。リードスイッチ５は、（ａ）の状態では、サッシ開閉検知用マグネット３には反応せず、（ｂ）の状態になってはじめてサッシ開閉検知用マグネット３に反応して、接点がオンとなるように設定されている。サッシ開閉検知用マグネット３が、本体に対して反対側の面に接近するような取付状態にも対応させるため、リードスイッチ５は２個装備している。レバー検出部６は、クレセント錠のレバー４の接触により作動するコンタクトスイッチであり、（ａ）の状態では接点がオフ、（ｂ）の状態では接点がオンとなるように設定されている。本体１の内部には、リードスイッチ５とレバー検出部６の状態を出力する無線送信部を備えており、対応する無線受信装置に向けて電波が発射されるように設定されている。
【００１１】
以上の構成によれば、サッシの開閉状態は、リードスイッチ５により検出され、クレセント錠の施錠・解錠状態は、レバー検出部６により検出される。クレセント錠の施錠・解錠状態の検出とともに、クレセントセンサーユニットの本体１がクレセント錠のレバー４を取り囲んでしまうので、クレセント錠のロック機能も働くことになる。
【００１２】
以上の説明は、レバーが適度に長いクレセント錠に対応させたものであり、施錠状態となったクレセント錠のレバーを、長方形の開口部を備えたクレセントセンサーユニットの本体が、下方に向けてスライドして、囲い込むような形態としているが、クレセントセンサーユニットの本体が、さらに下方まで移動可能な構成とすれば、レバーが短く、レバーが取付台の寸法内に収まっているようなクレセント錠にも適用可能となる。例えば、クレセントセンサーユニットの本体の開口部を、長方形でなくコの字形にし、レバーの取付台に接触しないようにすればよい。クレセントセンサーユニットの本体の、ベース部からの移動は、スライド方式に限定されるものでなく、移動前には、クレセント錠のレバーの操作に支障のない範囲にて保持され、移動後には、施錠完了位置にて停止したクレセント錠のレバーの移動を、物理的に阻止する位置で保持される形態であればどのようなものでもよい。レバーを囲い込むような形態とならなくても、フック状のものが、クレセント錠のレバーの解錠方向への回転を止める形態であればよい。
【００１３】
また、レバー検出部６として、クレセント錠のレバー４の接触により作動するコンタクトスイッチを採用した場合について説明したが、施錠完了位置にて停止したクレセント錠のレバーを検出することができれば、他の検出方式を採用してもよい。例えば、図４に示すように、金属製のレバーの接近を検出する磁気近接センサー７や接触する際の圧力を検出する圧力センサー８等、サッシの開閉状態を検出するリードスイッチ５の作動と相互に干渉しないようなものであればどのようなものでもよい。
【００１４】
そのほかのレバー検出部の実施例を図５に示す。クレセントセンサーユニットの本体１の内部に、バネ１１により下方に押しつけられた状態で支持されるレバー検出ユニット１０を設け、この中にレバー検出用マグネット１２を内蔵する。本体１側にはレバー検出用リードスイッチ９を配置する。図５は、レバー検出用マグネット１２が、レバー検出用リードスイッチ９の検知範囲外に置かれている状態を示している。レバー検知ユニット１０が、本体１の下方への移動にともない、レバー４により相対的に上方に押し上げられると、本体１側に固定されたレバー検出用リードスイッチ９が、レバー検出用マグネット１２に接近することになり、その接点がオンとなる。レバー検出用リードスイッチ９は、サッシ開閉検知用マグネット３を検出するリードスイッチ５とは、配置方向が９０°異なるようにしてあるため、マグネット３の動きとは無関係に、レバー検出用マグネット１２の接近を確実に検出することができる。レバー検出用マグネット１２の磁力の強さ、レバー検出用リードスイッチ９の配置場所、レバー検出ユニット１０の本体内での移動可能距離等を工夫すれば、クレセント錠のレバーの長短に柔軟に対応することのできるレバー検出部が実現される。                                                                    
【図面の簡単な説明】
【００１５】
【図１】クレセント錠付きのサッシに、本発明のクレセントセンサーユニットを取り付けた状態を示す斜視図である。
【図２】図１の要部拡大図である。
【図３】本発明のクレセントセンサーユニットの本体１の内部を示した図である。
【図４】本発明のクレセントセンサーユニットのレバー検出部を示した図である。
【図５】本発明のクレセントセンサーユニットのレバー検出部の他の実施例を示した図である。
【符号の説明】
【００１６】
１・・・クレセントセンサーユニットの本体
２・・・クレセントセンサーユニットのベース部
３・・・サッシ開閉検知用マグネット
４・・・クレセント錠のレバー
５・・・リードスイッチ
６・・・レバー検出部
７・・・磁気近接センサー
８・・・圧力センサー
９・・・レバー検出用リードスイッチ
１０・・・レバー検出ユニット
１１・・・バネ
１２・・・レバー検出用マグネット
【図１】
2008255650.tif 000003
【図２】
2008255650.tif 000004
【図３】
2008255650.tif 000005
【図４】
2008255650.tif 000006
【図５】
2008255650.tif 000007